(57)【要約】【課題】記録内容を収納袋に簡単に表示でき、かつ表示内容を記した表示板を取替え自在に備える光学ディスクの収納袋を提供する。【解決手段】プラスチック（基材）から成る表シート２（シート）と、不織布、紙、プラスチック（プラスチックを含む複数の基材）の積層体から成る裏シート３（シートと反対面のシート）とを備え、ディスク収納袋１の開口部５に隣接する位置にポケット４を備えるとともに、そのポケット４の両端に差込口７ａ，７ｂを設けるものである。加えて、ポケット４の差込口７ａ，７ｂから表示カード８を取替え自在に備え、ディスク収納袋１の開口部５両端付近に開口部５とは反対方向に湾出した切欠部６ａ，６ｂを設ける。【選択図】図３
2008044622.tif 000002
【特許請求の範囲】
【請求項１】
基材から成るシートと、
前記基材を含む複数の基材の積層体から成る前記シートと反対面のシートとを備え、
前記反対面のシート上に前記シートを重畳した周囲が情報記録媒体を出し入れする開口部を除いて閉塞した収納袋において、
前記開口部から前記情報記録媒体の出し入れを妨げない位置に前記収納袋の少なくとも１箇所に表示カードの差込口を有するポケットを備えることを特徴とする、ディスク収納袋。
【請求項２】
前記シートの基材がプラスチックであり、
前記反対面のシートの基材が不織布、紙、プラスチックの積層体であるとともに、
前記シートの前記プラスチック上にエンボスを設けることを特徴とする、請求項１に記載のディスク収納袋。
【請求項３】
前記収納袋の前記開口部に隣接する位置に前記ポケットを備え、該ポケットの両端に前記差込口を設けることを特徴とする、請求項１または２に記載のディスク収納袋。
【請求項４】
前記収納袋の前記ポケットの前記差込口から前記表示カードを取替え自在に備えることを特徴とする、請求項１、２および３に記載のディスク収納袋。
【請求項５】
前記収納袋の前記開口部両端付近に前記開口部とは反対方向に湾出した切欠部を設けることを特徴とする、請求項１、２、３および４に記載のディスク収納袋。
【発明の詳細な説明】
【技術分野】
【０００１】
本発明は、光学ディスクを収納するディスク収納体に関する。
【背景技術】
【０００２】
デジタルバーサタイルディスク（ＤＶＤ）やコンパクトディスク（ＣＤ）などの光学ディスクは一般に円盤状から成り、その中心にスピンドルなどが嵌合するための穴が形成され、裏面（片面）に種々の情報が記録されている。従来、このような光学ディスクを収納するために合成樹脂や不織布などから構成される収納袋がある（例えば特許文献１）。
【０００３】
【特許文献１】特開平９−６６９８１号公報
【発明の開示】
【発明が解決しようとする課題】
【０００４】
しかし、このような光学ディスクの収納袋では、光学ディスク内に記録されている情報内容を収納袋に簡便に表示する表示枠がなく、外袋と内袋の間に設けた挿入ポケットに記録内容の説明文などが挿入されるので、収納袋から目的とする光学ディスクを簡単に検索できないという問題があった。
そこでこの発明の目的は、情報を光学ディスクに記録した後、記録内容を収納袋に簡単に表示でき、かつ表示内容を記した表示板を取替え自在に備える光学ディスクの収納袋を提供することにある。
【課題を解決するための手段】
【０００５】
このため請求項１に記載の発明は、基材から成るシートと、前記基材を含む複数の基材の積層体から成る前記シートと反対面のシートとを備え、前記反対面のシート上に前記シートを重畳した周囲が情報記録媒体を出し入れする開口部を除いて閉塞した収納袋において、前記開口部から前記情報記録媒体の出し入れを妨げない位置に前記収納袋の少なくとも１箇所に表示カードの差込口を有するポケットを備えることを特徴とする。
【０００６】
請求項２に記載の発明は、請求項１に記載のディスク収納袋において、前記シートの基材がプラスチックであり、前記反対面のシートの基材が不織布、紙、プラスチックの積層体であるとともに、前記シートの前記プラスチック上にエンボスを設けることを特徴とする。
【０００７】
請求項３に記載の発明は、請求項１または２に記載のディスク収納袋において、前記収納袋の前記開口部に隣接する位置に前記ポケットを備え、該ポケットの両端に前記差込口を設けることを特徴とする。
【０００８】
請求項４に記載の発明は、請求項１、２および３に記載のディスク収納袋において、前記収納袋の前記ポケットの前記差込口から前記表示カードを取替え自在に備えることを特徴とする。
【０００９】
請求項５に記載の発明は、請求項１、２、３および４に記載のディスク収納袋において、前記収納袋の前記開口部両端付近に前記開口部とは反対方向に湾出した切欠部を設けることを特徴とする。
【発明の効果】
【００１０】
請求項１に記載の発明によれば、基材から成るシートと、基材を含む複数の基材の積層体から成るシートと反対面のシートとを備え、反対面のシート上にシートを重畳した周囲が情報記録媒体を出し入れする開口部を除いて閉塞した収納袋において、開口部から情報記録媒体の出し入れを妨げない位置に収納袋の少なくとも１箇所に表示カードの差込口を有するポケットを備えるので、記録内容をポケット内の表示カードに表示することができる。従って、記録内容を収納袋に簡単に表示可能な光学ディスクの収納袋を提供することができる。
【００１１】
請求項２に記載の発明によれば、シートの基材がプラスチックであり、反対面のシートの基材が不織布、紙、プラスチックの積層体であるとともに、シートのプラスチック上にエンボスを設けるので、光学ディスクの情報記録面に傷が入りにくく、かつ光学ディスクを収納袋内に挿入する作業性が向上する。従って、迅速に収納保護可能な光学ディスクの収納袋を提供することができる。
【００１２】
請求項３に記載の発明によれば、収納袋の開口部に隣接する位置にポケットを備え、そのポケットの両端に差込口を設けるので、ポケットの両端どちらからでも表示板を挿入することができる。従って、記録内容を収納袋に簡単に表示可能な光学ディスクの収納袋を提供することができる。
【００１３】
請求項４に記載の発明によれば、収納袋のポケットの差込口から表示カードを取替え自在に備えるので、光学ディスクへの記録情報を変更した場合でも収納袋に記録内容を容易に変更表示することができる。従って、記録内容を収納袋に簡単に表示変更できる光学ディスクの収納袋を提供することができる。
【００１４】
請求項５に記載の発明によれば、収納袋の開口部両端付近に開口部とは反対方向に湾出した切欠部を設けるので、収納袋に光学ディスクを出し入れする際、開口部両端に集中する応力を分散することができる。従って、開口部が破損しにくい丈夫で耐久性のある光学ディスクの収納袋を提供することができる。
【発明を実施するための最良の形態】
【００１５】
以下、図面を参照しつつ、この発明を実施するための最良の形態について詳述する。
図１は本発明のディスク収納袋の一例を示す正面図、図２は図１のディスク収納袋の中央断面図を示す。この例のディスク収納袋１は、表シート２と裏シート３から構成され、裏シート３の上部には収納袋１の表側にポケット４が設けられる。
【００１６】
表シート２は、その内側にＤＶＤやＣＤなどの光学ディスクを挿入でき、かつ光学ディスク全体を覆うことができる程度の大きさで、プラスチックである透明の無延伸ポリプロピレン（ＣＰＰ）などから構成される。裏シート３は、表シート２と同じ横幅で表シート２よりも高さを有し、不織布、紙、プラスチックであるポリエチレンなどの積層体から構成される。この裏シート３上に正面視下端と左右両端を揃えて表シート２が重畳され、表シート２の開口部５を除いて熱板などでその周囲３隅ののりしろ部２ａ，２ｂ，２ｃを部分溶着させることにより、閉塞される。
【００１７】
表シート２における開口部５の両端付近には、開口部５の上端から下方に向けて湾出させた切り欠き部６ａ，６ｂがそれぞれ設けられる。また、表シート２の裏面には、その上層に凹凸を有するエンボス加工が施される。
【００１８】
ポケット４は、裏シート３の上部表側において、裏シート３と同じ横幅を有し、かつ裏シート３の上端から開口部５を妨げない程度の縦幅を有する透明のＣＰＰシートが、上記裏シート３を構成する積層体上に上端と左右両端を揃えて重畳され、熱板などでその周囲４隅ののりしろ部４ａ，４ｂ，４ｃ，４ｄを部分溶着させることにより、閉塞される。
【００１９】
また、ポケット４の左右両端より内側のそれぞれ適当な位置には、ポケット４の縦幅に応じて上層のＣＰＰシートが垂直方向に切り込まれた表示カードの差込口７ａ，７ｂが設けられる。
【００２０】
ここで、ＤＶＤやＣＤなどの情報記録媒体である光学ディスクに映像や音楽などの情報を記録させた後、これらをディスク収納袋１に収納させるときは、開口部５より光学ディスクが挿入され、表シート２と裏シート３の間に収納される。
【００２１】
このとき、表シート２の裏側にはエンボス加工が施されているため、光学ディスク表側との滑り性がよくなり、効率的に光学ディスクを挿入することができる。また、表シート２が透明のＣＰＰから成るため、光学ディスクの表面（情報が記録されない面）に記された印字や模様などを表シート２の外側から見ることができる。
【００２２】
図３は、図１のディスク収納袋に表示カードを挿入するときの正面図である。ポケット４と同程度の横幅を有し、かつポケット４内に挿入できる程度の縦幅を持つ紙製などの表示カード８に、ディスク収納袋１に収納する光学ディスクに記録させた情報内容がペンやプリンターなどで印字される。この表示カード８の右端が、ポケット４の差込口７ａより挿入され、表示カード８の左端が差込口７ａより左の外側に出るように位置するまで表示カード８がポケット４内に挿入される。
【００２３】
表示カード８の左端は、ポケット４内に挿入されず、表示カード８を取り出すための指のつまみ部として差込口７ａより左の外側に出るようにする。また、ポケット４の上面は透明のＣＰＰから成るため、上記のように印字された文字などをポケット４の外側から見ることができ、目的の光学ディスクが容易に検索可能となる。
【００２４】
また、ディスク収納袋１に光学ディスクを出し入れする際、開口部５を表シート２の表側に指または光学ディスクで開くため、開口部５の左右両端に集中する応力が切り欠き部６ａ，６ｂで分散されることから、表シート２の破損を防止することができる。
【００２５】
以上詳述したように、この例のディスク収納袋１は、プラスチック（基材）から成る表シート２（シート）と、不織布、紙、プラスチック（プラスチックを含む複数の基材）の積層体から成る裏シート３（シートと反対面のシート）とを備え、ディスク収納袋１の開口部５に隣接する位置にポケット４を備えるとともに、そのポケット４の両端に差込口７ａ，７ｂを設けるものである。加えて、ポケット４の差込口７ａ，７ｂから表示カード８を取替え自在に備え、ディスク収納袋１の開口部５両端付近に開口部５とは反対方向に湾出した切欠部６ａ，６ｂを設ける。
【００２６】
なお、ディスク収納袋１は四角形に限定されるものではなく、円形など光学ディスクを収納できる形状であればよい。ポケット４および開口部５は、ディスク収納袋１の上部に設けることに限られず、ディスク収納袋１の左端部または右端部に設けてもよい。
【００２７】
また、切欠部６ａ，６ｂは、湾出する形状に限定されず、開口部５の左右両端に集中する応力を分散させる形状であればよい。表示カード８のポケット４への挿入方向は、表示カード８の右端が差込口７ａより右方向に挿入されることに限られず、表示カード８の左端が差込口７ｂより左方向に挿入されてもよい。
【図面の簡単な説明】
【００２８】
【図１】本発明のディスク収納袋の一例を示す正面図である。
【図２】図１に示すディスク収納袋の中央断面図である。
【図３】図１に示すディスク収納袋に表示カードを挿入するときの正面図である。
【符号の説明】
【００２９】
１    ディスク収納袋
２    表シート（シート）
２ａ，２ｂ，２ｃ，４ａ，４ｂ，４ｃ，４ｄ    のりしろ部
３    裏シート（シートと反対面のシート）
４    ポケット
５    開口部
６ａ，６ｂ    切欠部
７ａ，７ｂ    差込口
８    表示カード
【図１】
2008044622.tif 000003
【図２】
2008044622.tif 000004
【図３】
2008044622.tif 000005